(57)【要約】  【課題】  補助的印刷開始指示手段（例えばフットスイッチ）からの印刷処理開始指令が入力されてから所定時間内に、原稿台上の原稿の動きが検知された場合には、補助的印刷開始指示手段による画像形成動作開始の指示を実行しないようにすることにより、画像形成処理の失敗を未然に防止することができる画像形成装置を提供する。  【解決手段】  原稿台上の原稿をスキャナで走査した後、得られた画像をデジタル化して画像処理部に入力する（Ｓ４）。デジタル化された原稿画像データと、画像処理部、半導体メモリなどの所定の記憶部に記憶されている、前回画像処理部に入力された原稿画像データとを比較する（Ｓ５）。両原稿画像データに相違がある場合は、原稿台上の原稿が動いているものとして印刷は行わない。また相違がない場合は、原稿台上の原稿が静止しているものとして印刷処理を開始する（Ｓ６、Ｓ７）。【選択図】図４
2005051628.tif 000002
【特許請求の範囲】
【請求項１】
原稿を載置する原稿台と、踏み込み動作により画像形成装置に上記原稿台上の原稿の印刷処理を開始させる指令を入力する補助的印刷開始指示手段とを具備してなる画像形成装置において、
上記原稿台上の原稿の動きを検出する原稿移動検出手段と、上記補助的印刷開始指示手段からの上記原稿台上の原稿の印刷処理を開始させる指令が入力されてから所定時間内に上記原稿移動検出手段により原稿が静止したことが検出されると上記補助的印刷開始指示手段からの入力を許可する入力許可手段とを具備してなることを特徴とする画像形成装置。
【請求項２】
上記原稿移動検出手段により検知された原稿の上記原稿台上での載置位置を表示する載置位置表示手段を更に具備してなる請求項１に記載の画像形成装置。
【請求項３】
上記原稿移動検出手段が、上記原稿台上の原稿が指定時間停止しているかどうかを検出するものである請求項１あるいは２のいずれかに記載の画像形成装置。
【請求項４】
上記原稿移動検出手段が、原稿を走査する光源と、上記原稿からの反射光を検出するＣＣＤセンサとを備え、上記原稿の走査を所定時間内に複数回行なって原稿の移動・静止を検出するものである請求項１〜３のいずれかに記載の画像形成装置。
【請求項５】
上記補助的印刷開始指示手段がフットスイッチである請求項１〜４のいずれかに記載の画像形成装置。
【請求項６】
原稿を載置する原稿台と、踏み込み動作により画像形成装置に上記原稿台上の原稿の印刷処理を開始させる指令を入力する補助的印刷開始指示手段とを具備してなる画像形成装置を制御するプログラムであり、上記原稿台上の原稿の動きを検出する原稿移動検出手段と、上記補助的印刷開始指示手段からの上記原稿台上の原稿の印刷処理を開始させる指令が入力されてから所定時間内に上記原稿移動検出手段により原稿が静止したことが検出されると上記補助的印刷開始指示手段からの入力を許可する入力許可手段として機能させるための制御プログラム。
【発明の詳細な説明】
【技術分野】
【０００１】
本発明は、踏み込み動作により、印刷処理を開始させる指令を画像形成装置に入力する、例えばフットスイッチなどの補助的印刷開始指示手段を備えた画像形成装置に係り、特に、補助的印刷開始指示手段からの指令が画像形成装置に入力されてから所定時間内に、原稿台上の原稿の動きを検知すると共に、原稿の静止が検知されると印刷処理を開始する画像形成装置に関するものである。
【背景技術】
【０００２】
複写機、プリンタ、ファクシミリ、あるいはその複合機として構成される画像形成装置では、近年、印刷開始用のフットスイッチを設けた機種が製造されている。このようなフットスイッチを設けた画像形成装置では、利用者が沢山の書類などを持っているためにその両手が自由に使用できない状態、あるいは原稿台上の原稿のサイズが大きいため、原稿の下に印刷開始ボタンが隠れる状態など、利用者が印刷開始ボタンを操作することが困難である場合に、フットスイッチを踏み込むことで簡単に印刷開始が行える仕組みになっている。また、原稿が分厚い本であったり、凹凸を有するものである場合にも、利用者が原稿を原稿台に両手で押さえつけながらフットスイッチを踏み込むことで、印刷時の原稿台上の原稿位置を安定させながらの印刷が行えるものである。この場合、利用者が原稿を原稿台に両手で押さえつけることができるので、原稿台と原稿との間の間隙がなくなり間隙からの余分な外部光の侵入が阻止され、安定した画像が得られる。
このような、印刷開始用のフットスイッチを設けた従来の画像形成装置としては、特許文献１や特許文献２に挙げられる装置がある。
【０００３】
上記特許文献１に挙げられる画像形成装置は、画像形成装置本体の前面部、および左右両側面部の下部の底板上に、それぞれ印刷開始用のフットスイッチを備えたものとして提案されている。この画像形成装置では、印刷を行う時々により、利用者の都合に応じた場所のフットスイッチを利用者が操作することで、印刷時の操作性の向上が図られている。
【０００４】
また、上記特許文献２に挙げられる画像形成装置は、印刷開始用のフットスイッチの他に、原稿台上の原稿の有無を検知する原稿検知手段を備えるものとして提案されている。この画像形成装置では、原稿検知手段が原稿台上に原稿がないことを検知した場合には、フットスイッチを踏み込んでも印刷処理が開始されない仕組みになっている。この場合、表示パネルなどの表示部には原稿なしとのメッセージの表示も行われる。
更に、上記特許文献２には、フットスイッチを数回踏み込むことで、印刷開始ボタン押下時と同様の動作をする通常コピーモードから、連続コピーモードへ移行して画像形成装置を開始する装置も示されている。この連続コピーモードでは、フットスイッチを踏み込まなくても原稿台に原稿を載置するだけで、原稿の印刷が開始される。この時、原稿検知手段によって原稿台上の原稿が検知されてから印刷が開始されるまでに、ある程度の時間（以下、コピー動作遅延時間という）を設けることで、利用者に、原稿台の原稿位置を安定させやすくしている。上記コピー動作遅延時間については、表示パネルなどの表示部から、利用者毎に設定できる仕組みになっている。
【０００５】
【特許文献１】実開平５−４５７１８号公報
【特許文献２】特開平５−７２８３８号公報
【発明の開示】
【発明が解決しようとする課題】
【０００６】
上記特許文献２に示されている通常コピーモードの場合、フットスイッチが踏み込まれると同時に印刷処理が開始される。そのため、当然ながら、原稿台上の原稿の位置が定まらない間に、利用者がフットスイッチを踏み込むと、正確に画像が得られないことがある。このことについては、上記特許文献１に示されている画像形成装置でも同様のことが言える。
【０００７】
ここで、上述した連続コピーモードの場合については、原稿検知手段によって原稿台上の原稿が検知されてから印刷が開始されるまでに、上記コピー動作遅延時間が設けられているため、利用者が余裕をもって原稿を定まった位置に載置できるとされている。しかしながら、上記コピー動作遅延時間よりも短時間で、利用者が原稿を所定位置に載置できるとは限らず、作業の未熟さから、原稿を所望の位置に載置するために原稿を置き直したり、ずらしたりすることが当然に考えられ、そのような置きなおし動作の最中にコピー動作が始まってしまった場合には、正しい画像形成処理が行えない場合がありうる。
【０００８】
従って、本発明は上記事情に鑑みてなされたものであり、その目的とするところは、例えばフットスイッチなどの補助的印刷開始指示手段からの印刷処理開始指令が入力されてから所定時間内に、原稿台上の原稿の動きを検知した場合には、フットスイッチによる画像形成動作開始の指示を実行しないようにすることにより、画像形成処理の失敗を未然に防止することができる画像形成装置を提供することにある。つまり、この発明では、フットスイッチを例にすると、フットスイッチが踏み込まれてから所定時間内において、原稿台の原稿に動きが見られる間（原稿の載置位置が決定しない間）は印刷処理が開始されず、上記所定時間内に原稿台の原稿の動きが静止した時（原稿の載置位置が決定された時）に初めて印刷処理が開始されるようにした画像形成装置が提供される。
このことにより、補助的印刷開始指示手段から原稿台上の原稿の印刷処理を開始させる指令が入力されてから所定時間内は、原稿の載置位置が決定しない間に印刷開始の処理は開始されないので、正確な画像が得られると共に、無駄な待ち時間無くなるので作業効率も向上する。
【課題を解決するための手段】
【０００９】
上記目的を達成するために、本発明は、原稿を載置する原稿台と、踏み込み動作により画像形成装置に上記原稿台上の原稿の印刷処理を開始させる指令を入力する補助的印刷開始指示手段とを具備してなる画像形成装置において、上記原稿台上の原稿の動きを検出する原稿移動検出手段と、上記補助的印刷開始指示手段からの上記原稿台上の原稿の印刷処理を開始させる指令が入力されてから所定時間内に上記原稿移動検出手段により原稿が静止したことが検出されると上記補助的印刷開始指示手段からの入力を許可する入力許可手段とを具備してなる画像形成装置として構成される。
尚、上記補助的印刷開始指示手段の一例として、フットスイッチが挙げられる。
【００１０】
この場合、上記原稿移動検出手段により検知された原稿の上記原稿台上での載置位置を表示する載置位置表示手段を更に具備していることが望ましい。
【００１１】
ここで、上記原稿移動検出手段とは、上記原稿台上の原稿が指定時間停止しているかどうかを検出するものであることが考えられる。また、上記原稿移動検出手段の一例としては、原稿を走査する光源と、上記原稿からの反射光を検出するＣＣＤセンサとを備え、上記原稿の走査を所定時間内に複数回行なって原稿の移動・静止を検出するものが挙げられる。
【００１２】
更に、本発明は、原稿を載置する原稿台と、踏み込み動作により画像形成装置に上記原稿台上の原稿の印刷処理を開始させる指令を入力する補助的印刷開始指示手段とを具備してなる画像形成装置を制御するプログラムであり、上記原稿台上の原稿の動きを検出する原稿移動検出手段と、上記補助的印刷開始指示手段からの上記原稿台上の原稿の印刷処理を開始させる指令が入力されてから所定時間内に上記原稿移動検出手段により原稿が静止したことが検出されると上記補助的印刷開始指示手段からの入力を許可する入力許可手段として機能させるための制御プログラムとしても構成される。
【発明の効果】
【００１３】
以上説明したように、本発明によれば、原稿を載置する原稿台と、踏み込み動作により画像形成装置に上記原稿台上の原稿の印刷処理を開始させる指令を入力する上記補助的印刷開始指示手段とを具備してなる画像形成装置において、上記補助的印刷開始指示手段からの上記原稿台上の原稿の印刷処理を開始させる指令が入力されてからの所定時間内において、上記原稿台の原稿に動きが見られる間（原稿の載置位置が決定しない間）は印刷処理が開始されず、上記原稿台の原稿の動きが静止した時（原稿の載置位置が決定された時）に初めて印刷処理が開始される。
このことにより、補助的印刷開始指示手段から原稿台上の原稿の印刷処理を開始させる指令が入力されてから所定時間内は、原稿の載置位置が決定しない間に印刷開始の処理は開始されない、逆に言えば、原稿台上の原稿の位置が定まってから画像形成動作が開始されるので、正確な画像が得られると共に、無駄な待ち時間無くなり作業効率も向上する。
【発明を実施するための最良の形態】
【００１４】
以下添付図面を参照しながら、本発明の実施の形態及び実施例について説明し、本発明の理解に供する。尚、以下の実施の形態及び実施例は、本発明を具体化した一例であって、本発明の技術的範囲を限定する性格のものではない。
ここに、図１は本発明の一実施形態（以下、実施形態例と言う）に係る画像形成装置Ａの概略断面図、図２は本実施形態例に係る上記画像形成装置Ａが備える原稿マット２１を開いた際の上面図、図３は本実施形態例に係る上記画像形成装置Ａの制御系統における主要部の構成ブロック図、図４は本実施形態例に係る上記画像形成装置Ａが備える制御部３０が実施する、フットスイッチＸ投入後から印刷が開始されるまでの処理を示したフローチャートである。
【００１５】
まず、図１および図２を用いて、本発明の実施の形態に係る上記画像形成装置Ａの全体構成について説明する。上記画像形成装置Ａは、踏み込み動作により原稿台２２上の原稿の印刷処理を開始させる指定を入力する補助的印刷開始指示手段の一例としてフットスイッチＸを備えた、複写機能およびプリンタ機能を有する複合機である。
【００１６】
ここで、上記画像形成装置Ａが備えるフットスイッチＸについては、上記画像形成装置Ａと専用のケーブルで接続されている（図１）が、フットスイッチを画像形成装置本体側の下部等に直接設けた画像形成装置にも本発明は適応し得る。更に、本実施形態例で挙げられている上記画像形成装置Ａは、モノクロ現像装置に関するものであるが、カラー現像に関するものであっても良いことは当然である。
【００１７】
上記画像形成装置Ａは、下方に複数のカセット５を装着する給紙部を備え、その上方に両面ユニット６が配置され、その上方には画像形成部７が設けられている。画像形成部７の横には、転写紙などのシートにトナーを定着させる定着装置２０が設けられ、その上部には画像を読み取るスキャナ８、原稿を直接載置する原稿台２２、自動原稿搬送装置（以下、ＡＤＦという）９が取り付けられている。原稿台２２に載置される原稿については、原稿マット２１を閉めることで、その載置位置が安定される。
【００１８】
上記画像形成装置Ａの本体上面には、液晶タッチパネル等の表示操作部３が配置され、利用者が表示操作部３を操作することで、画質モード選択や複数あるカセット５のうちいずれを使用するかの選択、印刷処理の開始がされる。また、表示操作部３には、原稿が原稿台２２に載置されていない際の注意表示、あるいは原稿台２２上の原稿の載置位置に関する表示などの各種情報が表示される。
ここで、後述する、フットスイッチＸを踏み込んだ後に、原稿台２２上の原稿の動きを検出する時間（以下、動作検出時間という）、あるいは原稿の静止を判別するための時間（以下、原稿静止指定時間という）については、固定であっても良いが、表示操作部３からの入力による設定が可能である。また、例えばフットスイッチＸ自体の動作可能時間などの、フットスイッチＸの動作に関する情報についても、表示操作部３から利用者が入力できるようにしてもよい。更に、フットスイッチＸを複数回踏んだときに、画像形成動作の開始指令として認識するようにしてもよく、その時の踏み込み回数を使用者が入力設定できるようにしてもよい。また、特殊なフットスイッチを用いて、フットスイッチを踏む場所によって指令の種類を変えるようなことも出来るようにしても良い。
【００１９】
画像形成部７には感光体ドラム１１の周囲に、帯電装置１２、現像装置１３、クリーニング装置１４が配置された作像ユニット１５が設けられており、下方には感光体ドラム１１に対向して転写装置１６が配置されている。感光体ドラム１１は、例えば直径８４ｍｍのアルミ円筒の表面に感光層が形成されており、図１において時計方向に回転駆動される。帯電装置１２は回転する感光体ドラム１１の表面をコロナ放電により数百Ｖに帯電させる。感光体ドラム１１表面の帯電装置１２よりも回転方向下流側では、ＬＥＤアレイヘッドとセルフォックレンズ等から構成される露光装置１８により、感光体ドラム１１の表面が露光されて静電潜像が形成される。この露光装置１８の発光出力の制御に用いられる画像データは画像処理部４から入力されている。
【００２０】
以下、上記画像形成装置Ａにて行われる印刷処理の概略を説明する。
原稿台２２に載置された原稿は、光源であるスキャナ８により走査された後、その原稿の反射光はミラーを介してＣＣＤ１０（Charge-Coupled Device；画像信号を電気信号に変換するデバイス）へ入射され、ここでＡ／Ｄ変換されてデジタル画像データ（原稿画像データ）として画像処理部４に入力、および一時記憶される。上記動作検出時間において、印刷が開始されない間は、このような処理が複数回行われる。
ここで、画像処理部４では、上記原稿画像データに基づいて、上記動作検出時間内に、原稿台２２上の原稿が上記原稿静止指定時間だけ静止しているか否かの判別が行われる。即ち、上記原稿静止指定時間内に、上記原稿画像データの変化がない（前回記憶された原稿画像データと、今回入力された原稿画像データとの差がない）場合は、原稿台２２上の原稿の載置位置が決定したと見なされるような処理が可能である。また、上記原稿画像データに変化がある場合は、原稿台２２上の原稿の載置位置が定まらないものと見なされ、以降の処理が実行されないように制御部３０が制御することも可能である。処理の詳細は後記する。もちろん、その他の処理の態様も可能である。例えば、部分的な走査だけを予備的に複数回行なって、その部分的な画像の同一性を確認するような方法も考えられる。
原稿台２２上の原稿の載置位置が決定したと判別されると、画像処理部４にて、上記原稿画像データに対して所定の画像処理が施される。その後、画像処理後の上記原稿画像データは露光装置制御手段１９に入力されると、入力された上記原稿画像データに従った露光が行われるように、露光装置制御手段１９が露光装置１８を制御する。
【００２１】
現像装置１３では現像ローラが回転して、現像ローラ表面に形成された磁気ブラシが感光体ドラム１１表面に接触し、静電潜像に対して帯電したトナーを付着させてトナー画像を形成する。このトナー画像は転写装置１６において、いずれかのカセット５から搬送されてきたシートが、感光体ドラム１１とその周速と同じ速度で移動する転写ベルト１７との間に挟持された状態で搬送されながら帯電されることでトナー画像がシート上に転写される。さらに、転写装置１６の下流側にはクリーニング装置１４が配置されており、感光体ドラム１１の表面上に残留したトナーや他の付着物が除去される。転写装置１６によってトナー像が転写されたシートは、その搬送方向下流側に設けられた定着装置２０に運ばれる。
尚、上記画像形成装置Ａの転写装置１６は、転写ベルトを用いたものが採用されているが、これを転写ローラに置き換えることも可能である。
【００２２】
定着装置２０は、定着ローラ１、およびこれに対向する加圧機構を備えた加圧ローラ２から構成されている。転写ベルト、あるいは転写ローラにより転写装置１６から搬送されたシートに付着しているトナー画像は、シートが定着ローラ１と加圧ローラ２との間を通過する間に、定着ローラ１の熱によってトナー画像が溶融定着されると共に、加圧ローラ２によりシートが定着ローラ１に押し付けられることで、シートに定着される。定着装置２０でトナー画像が定着されたシートは、その後、シート処理装置Ｂ側へ送出され、所定の処理が施された後、所定のシート排出口から排出される。
【００２３】
次に、本実施形態例に係る上記画像形成装置Ａの制御系統における主要部の構成について図３を用いて説明する。
上記画像形成装置Ａ全体は、ＣＰＵ、半導体メモリ等からなる制御部３０によって制御される。制御部３０は、半導体メモリ等に格納された所定のプログラム（例えば、画像処理部４に入力された原稿画像データの印刷の実施を制御部３０に許可する入力許可手段３２）を実行することにより、各種制御及び演算処理を行う。また制御部３０は、フットスイッチＸが利用者により踏み込まれた後の経過時間をカウントするタイマ３１、表示操作部３、スキャナ８、画像処理部４、ＣＣＤ１０、フットスイッチＸ、原稿台上の原稿を複数回走査した時に取り込まれた画像を記憶する画像記憶部３３などを制御しており、これらの各々の装置と制御部３０とは、所定のバスで接続されている。このことにより、各々の装置と制御部３０との間でのデータ信号の送受信が可能になっている。
【００２４】
以下、図４のフローチャートを用いて、制御部３０が実施する、補助的印刷開始指示手段の一例であるフットスイッチＸが投入された後から印刷が開始されるまでの処理について説明する。尚、図４における符号Ｓ１、Ｓ２、… はそれぞれステップ（処理手順）の番号を示している。
ここでは、フットスイッチが１回押されただけで画像形成処理の開始が指令される場合について記載するものとする。また、本処理の前提として、フットスイッチＸは使用可能な状態にあり、また、制御部３０が備える半導体メモリ、あるいは上記画像形成装置Ａが備える内部記憶部（図示せず）には、表示操作部３から入力された上記動作検出時間、および上記原稿静止指定時間が予め記憶されているものとする。
【００２５】
Ｓ１：利用者によりフットスイッチＸが踏み込まれた旨を表すデータ信号が、制御部３０に入力されたか否かを判別する。入力されていればステップＳ２に進み、入力されていなければ本ステップを繰り返す。
Ｓ２：上記データ信号が入力されていれば、フットスイッチＸを用いて利用者が印刷開始操作を行ったものとし、タイマ３１を起動して、経過時間のカウントを開始する。
Ｓ３：タイマのカウントが上記動作検出時間に達しているか否かの判別を行う。達していれば本処理を終了させ、達していなければステップＳ４に進む。
Ｓ４：原稿台２２上の原稿をスキャナ８で走査した後、得られた原稿画像をＣＣＤ１０にてＡ／Ｄ変換してデジタル化させて、画像処理部４へ入力する。この場合、原稿の全てを走査する必要はなく、部分的な走査であっても良いし、あるいは、原稿を実際に走査するのでなく、部分的な画像を取り込むスポット画像入力のための撮像手段を別に設けてその画像を取り込んでも良い。取り込まれた画像の記憶場所は、通常の画像形成用の画像記憶部３３であっても、また別の記憶部であっても良い。
Ｓ５：上記ステップＳ４にてデジタル化された原稿画像データ（以下、今回画像データという）と、画像処理部４、上記半導体メモリ、あるいは上記内部記憶部などの所定の記憶部に記憶されている、前回画像処理部４に入力された原稿画像データ（以下、前回画像データという）とを比較する。
Ｓ６：上記ステップＳ５にて、上記今回画像データと上記前回画像データとを比較した結果、両画像データに相違がある場合は、原稿台２２上の原稿が動いているものとし、上記所定の記憶部に記憶されている上記前回データを消去して、あらたに上記今回画像データを記憶させる。この場合、上記今回画像データに基づいて、表示操作部３に原稿台２２上の原稿の載置位置あるいは原稿の画像を表示させた後、上記原稿静止指定時間後に上記ステップＳ３の処理に戻る。また、両画像データに相違がない場合は、原稿台２２上の原稿が静止しているものとし、上記所定の記憶部に記憶されている上記前回データを消去してステップＳ７に進む。
尚、本ステップにおける、両画像データの比較に基づいて原稿台２２上の原稿の動きを検知する手段が、本発明における原稿移動検出手段の一例である。また、両画像データに相違がある場合に、上記今回画像データに基づいて、表示操作部３に原稿台２２上の原稿の載置位置を表示させる手段が、本発明における載置位置表示手段の一例である。
Ｓ７：画像処理部４にて上記今回画像データに対して所定の画像処理が施された後に、露光装置制御手段１９に入力する（つまり、印刷処理を上記画像形成装置Ａに実施させる）。
尚、本ステップの、上記今回画像データに対して所定の画像処理が施された後に、露光装置制御手段１９に入力する手段が、本発明における入力許可手段の一例である。
Ｓ８：タイマ３１の経過時間のカウントをクリアする。
【００２６】
尚、上述したステップＳ１〜ステップＳ８の処理は、上記画像形成装置Ａが備える内部記憶装置（図示せず）などに予め記憶されたプログラム（制御プログラム）により実行されるものである。従って上述した一連の処理はこのプログラムにより実行される一連の機能であるということができる。
【００２７】
また、上記処理では、原稿画像が動いていると判断された場合（上記ステップＳ６でｙｅｓ）でも、上記ステップＳ２で設定されたタイマがカウントアップした場合（上記ステップＳ３でｙｅｓ）には、再度フットスイッチＸを踏まないと画像形成を開始できないように設定されている。しかし、画像が動いている場合は、利用者が原稿を所望の位置にセットする作業に専念していることを表しているのであるから、そこですぐにタイムアップさせるのは適当でないとも考えられる。そこで例えば、２つのタイマを設けて、画像が移動している間は、第１のタイマによる設定時間を延長するようにして、多少時間が掛かっても画像の動きが収まるのを待つようにすると共に、あまりに長い時間画像が定まらない場合には、タイムアップとして再度フットスイッチが押されるようにすることも可能である。
【図面の簡単な説明】
【００２８】
【図１】本発明の一実施形態に係る画像形成装置Ａの概略断面図。
【図２】本実施形態例に係る上記画像形成装置Ａの原稿マット２１を開いた時の上面図。
【図３】本実施形態例に係る上記画像形成装置Ａの制御系統における主要部の構成ブロック図。
【図４】本実施形態例に係る上記画像形成装置Ａが備える制御部３０が実施する、フットスイッチＸ投入後から印刷が開始されるまでの処理を示したフローチャート。
【符号の説明】
【００２９】
１…定着ローラ
２…加圧ローラ
３…表示操作部
４…画像処理部
５…カセット
６…両面ユニット
７…画像形成部
８…スキャナ
９…自動原稿搬送装置（ＡＤＦ）
１０…ＣＣＤ
１１…感光体ドラム
１２…帯電装置
１３…現像装置
１４…クリーニング装置
１５…作像ユニット
１６…転写装置
１７…転写ベルト
１８…露光装置
１９…露光装置制御手段
２０…定着装置
２１…原稿マット
２２…原稿台
３０…制御部
３１…タイマ
３２…入力許可手段
３３…画像記憶部
【図１】
2005051628.tif 000003
【図２】
2005051628.tif 000004
【図３】
2005051628.tif 000005
【図４】
2005051628.tif 000006